(57)【要約】【課題】本発明は、組立及び解体を簡易に行うことが可能な組立カプセルルームを提供することを目的とする。【解決手段】６つの平坦面１１１及び２つの開口部１１２，１１３を有し、断面が六角形の筒状部材１１を備え、前記六角形は、２つの頂点Ａ，Ｄを通る直線を対称軸Ｐとした線対称の形状であり、かつ、３組の対向する２辺は、それぞれ互いに平行である凸六角形であり、筒状部材１１は、折れ曲がったシート状部材からなる組立カプセルルーム。【選択図】図１
2015209684.tif 000002
【特許請求の範囲】
【請求項１】
６つの平坦面及び２つの開口部を有し、断面が六角形の筒状部材を備え、
前記六角形は、２つの頂点を通る直線を対称軸とした線対称の形状であり、かつ、３組の対向する２辺は、それぞれ互いに平行である凸六角形であり、
前記筒状部材は、折れ曲がったシート状部材からなる組立カプセルルーム。
【請求項２】
前記筒状部材の１つ又は両方の前記開口部には、前記六角形と同じ形状の部分を有する蓋部材が設けられている請求項１に記載の組立カプセルルーム。
【請求項３】
前記筒状部材の内部には、平坦部を有する床部材が設けられており、前記対称軸は、前記平坦部の垂線である請求項１又は２記載の組立カプセルルーム。
【請求項４】
前記六角形は、正六角形である請求項１から３のいずれかに記載の組立カプセルルーム。
【請求項５】
６つの平坦面及び２つの開口部を有する第１筒状部材を備えた第１組立カプセルルームと、
６つの平坦面及び２つの開口部を有する第２筒状部材を備えた第２組立カプセルルームと、
６つの平坦面及び２つの開口部を有する第３筒状部材を備えた第３組立カプセルルームと、を備え、
前記第１筒状部材の断面、前記第２筒状部材の断面及び第３筒状部材の断面は、２つの頂点を通る直線を対称軸とした線対称の形状であり、かつ、３組の対向する２辺がそれぞれ互いに平行である凸六角形であり、
前記第１筒状部材、前記第２筒状部材及び前記第３筒状部材は、それぞれ折れ曲がったシート状部材からなり、
前記第１筒状部材、前記第２筒状部材及び前記第３筒状部材は、互いに形状及び大きさが同じであり、
前記第１筒状部材、前記第２筒状部材及び前記第３筒状部材が互いに１つの平坦面同士で接することにより、前記第１組立カプセルルーム、前記第２組立カプセルルーム及び前記第３組立カプセルルームは、ハニカム状に配置されている組立カプセルルーム集合体。
【発明の詳細な説明】
【技術分野】
【０００１】
本発明は、シート状部材を使用した組立カプセルルームに関する。
【背景技術】
【０００２】
従来より、複数の人々が、一時的に１つの場所で生活する必要がある場合（例えば、地震等の災害時において、複数の避難者が、学校の体育館等の避難所で生活する必要がある場合）、組立カプセルルームが使用されている。
【０００３】
このような組立カプセルルームとしては、特許文献１に記載された組立家屋や非特許文献１に記載されたカプセルルームが知られている。特許文献１に記載の組立家屋は、気泡ボードやプラスチック段ボール等を使用して組み立てられたものである。非特許文献１の組立家屋は、アルミフレームからなる骨格を使用して組み立てられたものである。
【０００４】
さらに、複数の部屋を備えたカプセルルームとしては、非特許文献２に記載されたカプセルルームが記載されている。この非特許文献２に記載されたカプセルルームは、アルミフレームからなる骨格と、この骨格内に設けられた内装材と、を備えたカプセルルームがハニカム状に配置されたものである。
【先行技術文献】
【特許文献】
【０００５】
【特許文献１】特開２０１３−７２３４号公報
【非特許文献】
【０００６】
【非特許文献１】機械設計、日刊工業新聞社、２０１０年３月号、第５４巻、第３号、p.10
【非特許文献２】大阪府ビジネスマッチングブログ、［平成２２年１月１５日］、インターネット＜http://bmb.oidc.jp/article.php/2010011517542279＞
【発明の概要】
【発明が解決しようとする課題】
【０００７】
複数の人々が、一時的に１つの場所で生活する場合、各人のプライバシーを確保する必要がある。そのため、１つの場所に複数の組立カプセルルームを設置する必要がある。設置される組立カプセルルームは、簡易に組立及び解体が行える組立カプセルルームであることが求められる。また、複数の組立カプセルルームが配置される場合、それぞれの組立カプセルルームは、１部屋あたりの専有面積が抑制されるように配置することが可能な構造であることが求められる。
【０００８】
本発明は、組立及び解体を簡易に行うことが可能な組立カプセルルームを提供することを目的とする。また、本発明は、組立及び解体を簡易に行うことが可能であり、かつ、１部屋当たりの専有面積を抑制することが可能な組立カプセルルーム集合体を提供することを目的とする。
【課題を解決するための手段】
【０００９】
本発明は、６つの平坦面及び２つの開口部を有し、断面が六角形の筒状部材を備え、前記六角形は、２つの頂点を通る直線を対称軸とした線対称の形状であり、かつ、３組の対向する２辺は、それぞれ互いに平行である凸六角形であり、前記筒状部材は、折れ曲がったシート状部材からなる組立カプセルルームに関する。
【００１０】
また、前記筒状部材の１つの前記開口部には、前記六角形と同じ形状の部分を有する蓋部材が設けられていることが好ましい。
また、前記筒状部材の内部には、平坦部を有する床部材が設けられており、前記対称軸は、前記平坦部の垂線であることが好ましい。
また、前記六角形は、正六角形であることが好ましい。
【００１１】
本発明は、６つの平坦面及び２つの開口部を有する第１筒状部材を備えた第１組立カプセルルームと、６つの平坦面及び２つの開口部を有する第２筒状部材を備えた第２組立カプセルルームと、６つの平坦面及び２つの開口部を有する第３筒状部材を備えた第３組立カプセルルームと、を備え、前記第１筒状部材の断面、前記第２筒状部材の断面及び第３筒状部材の断面は、２つの頂点を通る直線を対称軸とした線対称の形状であり、かつ、３組の対向する２辺は、それぞれ互いに平行である凸六角形であり、前記第１筒状部材、前記第２筒状部材及び前記第３筒状部材は、それぞれ折れ曲がったシート状部材からなり、前記第１筒状部材、前記第２筒状部材及び前記第３筒状部材は、互いに形状及び大きさが同じであり、前記第１筒状部材、前記第２筒状部材及び前記第３筒状部材が互いに１つの平坦面同士で接することにより、前記第１組立カプセルルーム、前記第２組立カプセルルーム及び前記第３組立カプセルルームは、ハニカム状に配置されている組立カプセルルーム集合体に関する。
【発明の効果】
【００１２】
本発明によれば、組立及び解体を簡易に行うことが可能な組立カプセルルームを提供することができる。また、本発明は、組立及び解体を簡易に行うことが可能であり、かつ、１部屋当たりの専有面積を抑制することが可能な組立カプセルルーム集合体を提供することができる。
【図面の簡単な説明】
【００１３】
【図１】は、本発明の第１実施形態による組立カプセルルーム１を前方から見た斜視図である。
【図２】は、本発明の第１実施形態による組立カプセルルーム１を後方から見た斜視図である。
【図３】（Ａ）〜（Ｃ）は、本発明の第１実施形態による組立カプセルルーム１の組み立て方を説明する図である。
【図４】（Ａ）〜（Ｂ）は、本発明の第２実施形態による組立カプセルルーム集合体２を示す図である。
【図５】（Ａ）〜（Ｅ）は、組立カプセルルーム１及び組立カプセルルーム集合体２の断面の形状の変形例を説明する図である。
【発明を実施するための形態】
【００１４】
［第１実施形態］
以下、本発明の第１実施形態について、図１〜図３を参照しながら説明する。図１は、本発明の第１実施形態による組立カプセルルーム１を前方から見た斜視図である。図２は、本発明の第１実施形態による組立カプセルルーム１を後方から見た斜視図である。図３は、本発明の第１実施形態による組立カプセルルーム１の組み立て方を説明する図である。
【００１５】
図１及び図２に示すように、組立カプセルルーム１は、筒状部材１１と、床部材１２と、４つの台座部１３（一部のものは、不図示）と、蓋部材１４と、を備えている。組立カプセルルーム１は、平坦な載置面（不図示）に載置されている。
【００１６】
筒状部材１１は、図１及び図２に示すように、６つの平坦面１１１と、開口部としての前方側開口部１１２と、開口部としての後方側開口部１１３と、折り返し部１１４と、筒状部材側接合部１１５と、を有している。筒状部材１１は、６つの辺１１６で折れ曲がったシート状部材としての段ボールシートからなる。筒状部材１１における任意の断面の形状は、正六角形である。正六角形は、図１に示すように、６つの頂点（頂点Ａ、頂点Ｂ、頂点Ｃ、頂点Ｄ、頂点Ｅ及び頂点Ｆ）を有する。
【００１７】
６つの平坦面１１１は、筒状部材１１の側面となっている。前方側開口部１１２は、組立カプセルルーム１の入り口になる部分である。後方側開口部１１３には、図２に示すように、蓋部材１４が嵌め込まれている。なお、図２や蓋部材１４については、後段で詳述する。
【００１８】
折り返し部１１４は、図１に示すように、筒状部材１１の内側の下部（頂点Ｄの部分）に設けられている。折り返し部１１４は、段ボールシートの折り曲げられた２つの端部が重ね合わされることによって形成された部分である。折り返し部１１４は、折り返し部固定用クリップ１１７で挟まれることによって固定されている。このように、折り返し部１１４が折り返し部固定用クリップ１１７で固定されることにより、段ボールシートは、形状が筒状に維持された筒状部材１１となっている。
【００１９】
筒状部材側接合部１１５は、図２に示すように、後方側開口部１１３側における平坦面１１１のそれぞれの端部に設けられている。また、筒状部材側接合部１１５は、筒状部材１１の内側に折り曲げられている。なお、図２や筒状部材側接合部１１５については、後段で詳述する。
【００２０】
筒状部材１１における任意の断面の正六角形の対向する２つの頂点間（例えば、頂点Ａと頂点Ｄとの間）の距離は、例えば約１．４ｍになるように設計されている。また、前方開口部から後方開口部までの長さ（辺１１６の長さ）は、例えば約２ｍになるように設計されている。そのため、１人の人（不図示）が、前方側開口部１１２から筒状部材１１の中に容易に入ることができる。また、１人の人（不図示）が、筒状部材１１の中において、容易に横たわることができ、容易に座ることもできる。
【００２１】
床部材１２は、図１に示すように、平坦部１２１を有する部材からなる。床部材１２は、筒状部材１１の内部において、人が横たわったり、座ったりするための部材である。床部材１２は、人が横たわったり、座ったりするために必要な強度を備えた素材、例えば、複数の段ボールシートを重ねたシート、プラダンシート（プラスチック段ボールシート）、樹脂製の板、木の板、金属製の板等を用いて製造される。床部材１２の平坦部１２１は、筒状部材１１が載置される平坦な載置面（不図示）に平行になるように、筒状部材１１の内部に配置される。図１では、床部材１２は、その断面が正六角形の頂点Ｃと頂点Ｅとを結ぶように、筒状部材１１の内部に配置されている。
【００２２】
筒状部材１１の断面は、正六角形であり、頂点Ａと頂点Ｄとを結ぶ直線を対称軸Ｐ（図１における一点鎖線）とした線対称の形状をしている。この対称軸Ｐは、筒状部材１１の平坦な載置面（不図示）及び床部材１２の平坦部１２１の垂線でもある。よって、床部材１２の配置は、以下のように表現することができる。すなわち、床部材１２は、筒状部材１１の断面における正六角形の対称軸Ｐが、床部材１２の平坦部１２１の垂線であるように配置されている、と表現することができる。
【００２３】
台座部１３は、図１及び図２に示すように、２つの底面が直角三角形の三角柱の部材である。この三角柱の部材である台座部１３は、三角柱の直交する２つの側面のうちの一方の側面が、筒状部材１１の平坦な載置面（不図示）に接し、直交する他方の側面が、筒状部材１１の平坦な載置面（不図示）に直交し、傾斜する側面が筒状部材１１の１つの平坦面に接するように、配置されている。この台座部１３が使用されることにより、筒状部材１１は、平坦な載置面（不図示）に安定して載置される。
【００２４】
図２に示すように、筒状部材１１の後方側開口部１１３には、蓋部材１４が嵌め込まれている。蓋部材１４は、正六角形の形状を有する蓋本体部１４１（六角形と同じ形状の部分）と、蓋本体部１４１が有する正六角形の各辺に設けられた蓋部材側接合部１４２と、切欠き部１４３と、丸穴１４４を備える。蓋部材１４は、筒状部材１１と同様に、段ボールシート（シート状部材）からなる。蓋本体部１４１の正六角形の大きさは、筒状部材１１の断面の正六角形の大きさと同じ（又は、ほぼ同じ）である。蓋本体部１４１は、筒状部材１１の後方側開口部１１３を閉じるためのものである。蓋部材側接合部１４２は、筒状部材１１の外側に向けて折り返されている。蓋部材側接合部１４２は、蓋部材１４を筒状部材１１に固定するために使用されるものである。筒状部材１１に切欠き部１４３は、折り返し部１１４が嵌るよう配置されている。
【００２５】
図２に示すように、蓋部材１４は、蓋部材固定用クリップ１４５を用いて、筒状部材１１に固定されている。具体的には、以下の通りである。蓋部材側接合部１４２は、筒状部材１１の外側に向けて折り返されているため、筒状部材１１の平坦面１１１の内側の一部と接している。一方、筒状部材１１が有する筒状部材側接合部１１５は、筒状部材１１の中に向けて折り返されている。そのため、蓋部材側接合部１４２は、平坦面１１１と筒状部材側接合部１１５とで挟まれることになり、平坦面１１１と蓋部材側接合部１４２と筒状部材側接合部１１５とが重なる部分が形成される。この重なる部分が、蓋部材固定用クリップ１４５によって挟まれることにより、固定される。その結果、蓋部材１４は、筒状部材１１に固定されている。蓋部材１４は、筒状部材１１の形状を維持するための支持部材としても機能する。なお、筒状部材１１の前方側開口部１１２にも、必要に応じて、人が入ることを妨げない程度の大きさの支持部材（不図示）が設けられてもよい。例えば、人が入ることが可能な大きさの穴が窓として設けられた蓋部材（不図示）が設けられてもよい。この蓋部材の蓋本体部は、蓋部材１４と同様に正六角形であり、正六角形の大きさは、筒状部材１１の断面の正六角形の大きさと同じ（又は、ほぼ同じ）である。
【００２６】
次に、図３を使用して、組立カプセルルーム１の組み立て方を説明する。
まず、図３（Ａ）に示される組立前の筒状部材１１と、図３（Ｂ）に示される組立前の蓋部材１４が用意される。
【００２７】
組立前の筒状部材１１は、図３（Ａ）に示すように、長方形の本体部１１０と、長方形の上辺に設けられた６つの筒状部材側接合部１１５と、を有する。長方形の本体部１１０は、下辺１１２Ａ及び上辺１１３Ａを有している。長方形の本体部１１０が組み立てられて筒状部材１１になった場合、下辺１１２Ａが筒状部材１１の前方側開口部１１２の側になり、上辺１１３Ａが筒状部材１１の後方側開口部１１３の側になる。組立前の筒状部材１１は、１枚の段ボールシートを型抜きしたものである。
【００２８】
本体部１１０には、破線で示された縦向折目Ｘが、７本設けられている。縦向折目Ｘは、下辺１１２Ａ及び上辺１１３Ａに直交するように、長方形の下辺１１２Ａから上辺１１３Ａにかけて設けられている。縦向折目Ｘは、筒状部材１１における辺１１６になる部分である。隣り合う２つの縦向折目Ｘの間部分、すなわち、６つの縦長の長方形の部分は、筒状部材１１の６つの平坦面１１１になる部分である。６つの縦長の長方形の部分は、すべて同じ大きさ、かつ同じ形状となっている。本体部における最も左側の縦向折目Ｘの左側の端部（以下、左側端部１１４Ａという。）と、本体部における最も右側の縦向折目の右側の端部（以下、右側端部１１４Ｂという。）は、筒状部材１１における折り返し部１１４になる部分である。また、本体部２１１と、６つの筒状部材側接合部１１５との間には、それぞれ長方形の上辺１１３Ａに沿うように破線で示された横向折目Ｙが設けられている。段ボールシートに設けられた縦向折目Ｘ及び横向折目Ｙは、抜型等を使用して形成される。
【００２９】
図３（Ｂ）に示すように、蓋部材１４は、正六角形の形状を有する蓋本体部１４１と、正六角形の各辺に設けられた６つの蓋部材側接合部１４２と、切欠き部１４３と、丸穴１４４を備える。蓋本体部１４１と、６つの蓋部材側接合部１４２との間には、それぞれ、正六角形の辺に沿うように折目Ｚが設けられている。蓋部材１４に設けられた折目Ｚは、抜型等を使用して形成される。
【００３０】
図３（Ｃ）に示すように、筒状部材１１の縦向折目Ｘ及び横向折目Ｙは、すべて同じ向きに折り曲げられる（例えば、すべて谷折りにされる）。そして、折り曲げられた左側端部１１４Ａと折り曲げられた右側端部１１４Ｂとが、重ね合わせられることにより、断面が正六角形の筒状部材１１が形成されるとともに、折り返し部１１４が形成される。折り返し部１１４は、複数の折り返し部固定用クリップ１１７（１つの折り返し部固定用クリップ１１７以外は、不図示）で挟まれることによって固定される。その結果、段ボールシート２１は、任意の断面の形状が正六角形であり、内側に折り返し部１１４が形成された筒状部材１１となる。
【００３１】
一方、図３（Ｃ）に示すように、蓋部材１４の折目Ｚは、すべて同じ向きに折られる（例えば、すべて谷折りにされる）。その上で、蓋部材１４は、蓋部材側接合部１４２が筒状部材１１の外側に向くようにして、後方側開口部１１３に嵌め込まれるように配置される。このとき、切欠き部１４３は、折り返し部１１４に嵌合するように配置される。
【００３２】
蓋部材１４が筒状部材１１に嵌め込まれると、６つ蓋部材側接合部１４２は、それぞれ筒状部材１１の６つの平坦面１１１の内側の一部に接することになる。その後、筒状部材１１の６つの筒状部材側接合部１１５が、筒状部材１１の中に向けて折り返されることにより、平坦面１１１と筒状部材側接合部１１５の間に、蓋部材側接合部１４２が挟まれることになる。そのため、平坦面１１１と蓋部材側接合部１４２と筒状部材側接合部１１５とが重なる部分が６つできる。平坦面１１１と蓋部材側接合部１４２と筒状部材側接合部１１５とが重なる部分は、６つの蓋部材固定用クリップ１４５で挟まれて固定される。その結果、蓋部材１４は、筒状部材１１の後方側開口部１１３に固定され、図２に示される組立カプセルルーム１が組み立てられる。
【００３３】
また、図示は省略するが、筒状部材１１の内部には、床部材１２が配置されるとともに、筒状部材１１の前方開口部に必要に応じて支持部材（不図示）が設けられる。そして、台座部１３を使用して、筒状部材１１は、平坦な載置面（不図示）に載置される。
【００３４】
上述したように、組立カプセルルーム１は、組み立て前の筒状部材１１をすべて同じ方向に折るという作業と、蓋部材１４をすべて同じ方向に折るという作業と、いくつかの部分をクリップで挟むという作業だけで組み立てられる。また、クリップを外すことによって、簡易に解体も行える。また、組立カプセルルーム１は、段ボールシートで構成されているため、一人の人が持上げ可能な程度に軽量であり、持ち運びも容易である。
【００３５】
このように、組立カプセルルーム１よれば、組立及び解体が簡易に行うことが可能な組立カプセルルームを実現できる。また、組立カプセルルーム１は、段ボールシートで構成されている。そのため、組立前や解体後は、シート状の段ボールシートにすることにより、運搬が容易になる。さらに、解体後、段ボールシートや蓋部材１４をリサイクルに回すことも可能である。
【００３６】
［第２実施形態］
次に、本発明の第２実施形態について、図４を参照しながら説明する。図４（Ａ）〜図４（Ｂ）は、本発明の第２実施形態による組立カプセルルーム集合体２を示す図である。第２実施形態については、主として、第１実施形態と異なる点を中心に説明し、第１実施形態と同様な構成については、詳細な説明を省略する。特に説明しない点は、第１実施形態についての説明が適宜適用される。
【００３７】
図４（Ａ）に示すように、組立カプセルルーム集合体２は、第１組立カプセルルーム１Ａと、第２組立カプセルルーム１Ｂと、第３組立カプセルルーム１Ｃと、を備える。第１組立カプセルルーム１Ａ、第２組立カプセルルーム１Ｂ及び第３組立カプセルルーム１Ｃは、それぞれ第１実施形態で説明した組立カプセルルーム１である。第１組立カプセルルーム１Ａは、第１筒状部材１１Ａと第１床部材１２Ａと台座部１３Ａとを備えている。第２組立カプセルルーム１Ｂは、第２筒状部材１１Ｂと第２床部材１２Ｂと台座部１３Ｂとを備え、第３組立カプセルルーム１Ｃは第３筒状部材１１Ｃと第３床部材１２Ｃとを備える。第１筒状部材１１Ａ、第２筒状部材１１Ｂ及び第３筒状部材１１Ｃは、互いに形状及び大きさが同じである。また、第１組立カプセルルーム１Ａ、第２組立カプセルルーム１Ｂ及び第３組立カプセルルーム１Ｃは、それぞれの後方側開口部に蓋部材（不図示）を備えている。また、それぞれの前方側開口部には、人が入ることができる大きさの穴が窓として設けられた蓋部材（不図示）が設けられてもよい。
【００３８】
第１筒状部材１１Ａ、第２筒状部材１１Ｂ及び第３筒状部材１１Ｃが互いに１つの平坦面で接することにより、第１組立カプセルルーム１Ａ、第２組立カプセルルーム１Ｂ及び第３組立カプセルルーム１Ｃは、ハニカム状に配置されている。また、組立カプセルルーム集合体２の断面の形状は、図４（Ｂ）に示すように、３つの正六角形がハニカム状に配置された形状となっている。よって、３つの正六角形は、１つの辺が互いに接するように配置されている。なお、図４（Ｂ）は、組立カプセルルーム集合体２の断面の形状を説明するために簡略化された図であるため、３つの正六角形のみが図示されている。
【００３９】
ここで、「ハニカム状に配置される」とは、３つ以上の立体や３つ以上の平面図形が、互いに隙間なく配置されることを意味する。例えば、図４（Ａ）の組立カプセルルーム集合体２においては、第１筒状部材１１Ａ、第２筒状部材１１Ｂ及び第３筒状部材１１Ｃが互いに１つの平坦面で接しているため、第１組立カプセルルーム１Ａと第２組立カプセルルーム２Ｂとの間や第２組立カプセルルーム２Ｂと第３組立カプセルルーム２Ｃとの間に、隙間は存在しない。そのため、第１組立カプセルルーム１Ａ、第２組立カプセルルーム１Ｂ及び第３組立カプセルルーム１Ｃは、ハニカム状に配置されているといえる。また、図４（Ｂ）において、隣り合う正六角形の間に隙間は存在しない。そのため、３つの正六角形は、ハニカム状に配置されているといえる。
【００４０】
第１筒状部材１１Ａ、第２筒状部材１１Ｂ及び第３筒状部材１１Ｃは、互いに固定されている。
例えば、第１筒状部材１１Ａと第２筒状部材１１Ｂとは、以下のように固定される。すなわち、第１筒状部材１１Ａの平坦面及び第２筒状部材１１Ｂの平坦面にそれぞれ１つ又は複数のコの字状（又は円弧状）の切れ込みを入れることによって１つ又は複数のフラップ（舌片ともいう。）を形成する。そして、第１筒状部材１１Ａの平坦面のフラップを第２筒状部材１１Ｂの平坦面の切れ込みに差し込み、第２筒状部材１１Ｂの平坦面のフラップを第１筒状部材１１Ａの平坦面の切れ込みに差し込む。このように、互いの平坦面のフラップを互いの平坦面の切れ込みに差し込むことによって、第１筒状部材１１Ａと第２筒状部材１１Ｂとは固定される。
【００４１】
また、一方の平坦面にコの字状の切れ込みを入れることによってフラップ（舌片ともいう。）を形成し、他方の平坦面に直線状のスリットを形成し、フラップを直線状のスリットに差し込むことによって、第１筒状部材１１Ａと第２筒状部材１１Ｂとが固定されてもよい。さらに、フラップ（舌片ともいう。）は、スリットに差し込まれた後、折り曲げられてもよい。他方の平坦面に直線状のスリットを複数形成し、複数のスリットにフラップを入れることにより、スラップを織り込むようにしてもよい。
第１筒状部材１１Ａと第３筒状部材１１Ｃとの固定及び第２筒状部材１１Ｂと第３筒状部材１１Ｃとの固定も同様にして行われる。
【００４２】
また、第１筒状部材１１Ａ、第２筒状部材１１Ｂ及び第３筒状部材１１Ｃを互いに固定するためには、例えば、互いに接する平坦面同士をクリップ、ボルト及びナット、ステイプラーの針、接着剤等の固定部材で固定したりしてもよい。
【００４３】
組立カプセルルーム集合体２は、３つの部屋を備えた２階建ての組立カプセルルームとして機能する。第１組立カプセルルーム１Ａ及び第２組立カプセルルーム１Ｂが一階部分となり、第３組立カプセルルーム１Ｃが２階部分となる。
【００４４】
この組立カプセルルーム集合体２によれば、すべて第１実施形態で説明した組立カプセルルーム１で構成されているため、組立及び解体が簡易に行うことができる。第１筒状部材１１Ａ、第２筒状部材１１Ｂ及び第３筒状部材１１Ｃは、一人の人が持上げ可能な程度に軽量であるため、２階建てにすることも容易である。さらに、２階建ての組立カプセルルームとすることにより、１部屋当たりの専有面積を抑制することが可能である。また、図４（Ａ）及び図４（Ｂ）から分かるように、第１組立カプセルルーム１Ａの真上及び第２組立カプセルルーム１Ｂの真上に、第３組立カプセルルーム１Ｃは存在しない。そのため、第１組立カプセルルーム１Ａの中の人や第２組立カプセルルーム１Ｂの中の人は、真上に人がいないという安心感を得ることができ、第３組立カプセルルーム１Ｃの中の人は、真下に人がいないという安心感を得ることができる。
【００４５】
組立カプセルルーム集合体２は、断面が正六角形の筒状部材がハニカム状に配置された構成であるため、縦方向、横方向、斜め方向等の様々な方向からの力や荷重をほぼ均等に分散することができる。そのため、組立カプセルルーム集合体２は、組立及び解体が簡易な構成であるとともに、強度も確保できる構造となっている。
【００４６】
以上、本発明の実施形態について説明したが、本発明は、上記実施形態に限定されることなく、特許請求の範囲に記載された技術的範囲において変形が可能である。例えば、上記実施形態では、筒状部材１１の断面は、正六角形であったが、この形状に限定されない。複数の組立カプセルルームがハニカム状に配置され得る形状であり、様々な方向からの力や荷重をほぼ均等に分散できる形状であればよい。例えば、図５（Ａ）に示すような六角形、すなわち、内角がすべて１２０度で等しく、対向する３組の２辺がそれぞれ互いに平行であり、対向する１組の２辺の長さが、他の対向する他の２組の２辺の長さと異なる六角形であってもよい。図５（Ｂ）で示すような六角形、すなわち、対向する３組の２辺がそれぞれ互いに平行であり、対向する１組の２辺の長さが、対向する他の２組の２辺の長さと異なり、内角も１２０度ではない六角形であってもよい。
【００４７】
図５（Ａ）と図５（Ｂ）の六角形及び正六角形は、以下の点で共通する特徴をもつ六角形である。すなわち、図５（Ａ）と図５（Ｂ）の六角形及び正六角形は、２つの頂点を結ぶ直線を対称軸Ｐとした線対称の凸六角形（すべての内角が１８０度未満の六角形）であり、かつ３組の対向する２辺は、それぞれ互いに平行な六角形であるという共通の特徴を持っている。すなわち、筒状部材１１の断面が、２つの頂点を結ぶ直線を対称軸Ｐとした線対称の凸六角形であり、かつ３組の対向する２辺は、それぞれ互いに平行である六角形であれば、筒状部材１１は、ハニカム状に配置され得るし、様々な方向からの力や荷重をほぼ均等に分散することができる。なお、６角形の６つの内角は、それぞれ１００度以上１３０度以下の範囲の角度に設定され得る。
【００４８】
上記実施形態では、組立カプセルルーム集合体２は、３つの組立カプセルルームのみで構成されていたが、これに限定されない。例えば、図５（Ｃ）、図５（Ｄ）、図５（Ｅ）に示すように、４つ以上の組立カプセルルームで構成されていてもよい。また、図５（Ｄ）に示すように、隣り合う組立カプセルルームの間に空間が存在し、一部の組立カプセルルームがハニカム状に配置されていないものであってもよい。また、図５（Ｅ）に示すように、３階建の組立カプセルルームとしてもよい。図５（Ｃ）、図５（Ｄ）及び図５（Ｅ）に示されたカプセルルーム集合体２は、いずれも第１組立カプセルルーム１Ａ、第２組立カプセルルーム１Ｂ及び第３組立カプセルルーム１Ｃがハニカム状に配置された構成を含んでいる。このように、組立カプセルルーム集合体２は、第１組立カプセルルーム１Ａ、第２組立カプセルルーム１Ｂ及び第３組立カプセルルーム１Ｃがハニカム状に配置された構成を含むものであればよい。
【００４９】
上記実施形態では、折り返し部１１４の固定や筒状部材１１と蓋部材１４との固定には、クリップが使用されていたがこれに限定されない。例えば、接着剤、ステイプラーの針、ボルト及びナット等を使用して固定してもよい。すなわち、折り返し部１１４の固定や筒状部材１１と蓋部材１４との固定は、接着剤、ステイプラーの針、ボルト及びナット等の固定部材が使用されていればよい。
【００５０】
上記実施形態では、シート状部材として段ボールシートが使用されていたが、これに限定されない。シート状部材は、折目で折れ曲がって、６つの平坦面及び２つの開口部を有し、断面が六角形の筒状部材となる素材であり、組立カプセルルームに使用可能な強度を有する素材であればよい。例えば、樹脂製（プラスチック製）の板やプラダンシート（プラスチック段ボールシート）が使用されてもよい。また、上記実施形態では、筒状部材１１と蓋部材１４は、共に段ボールシートが用いられていたが、互いに異なる素材が用いられていてもよい。
【００５１】
上記実施形態では、支持部材としても機能する蓋部材１４が筒状部材１１に固定されていたが、蓋部材１４は使用されなくてもよい。蓋部材１４を使用しなくても、筒状部材１１の形状が維持されるようなシート状部材を使用すればよいからである。このようなシート状部材としては、例えば、段目の向きが９０度異なる段ボールシート（又はプラダンシート）が複数重ね合されたものがある。
【００５２】
上記実施形態では、平坦な載置面（不図示）に組立カプセルルーム１を載置する際、台座部１３が使用されていたが、必ずしも使用されなくてもよい。例えば、筒状部材１１の形状に一致する窪みを載置面に形成し、その窪みに筒状部材１１の一部を入れることによって、組立カプセルルーム１を載置するようにしてもよい。
【符号の説明】
【００５３】
１      組立カプセルルーム
２    組立カプセルルーム集合体
１Ａ    第１組立カプセルルーム
１Ｂ    第２組立カプセルルーム
１Ｃ    第３組立カプセルルーム
１１    筒状部材
１１Ａ  第１筒状部材
１１Ｂ  第２筒状部材
１１Ｃ  第３筒状部材
１１１  平坦面
１１２  前方側開口部（開口部）
１１３  後方側開口部（開口部）
１２    床部材
１２１  平坦部
１４    蓋部材
１４１  蓋本体部（六角形と同じ形状の部分）
Ｐ      対称軸
【図１】
2015209684.tif 000003
【図２】
2015209684.tif 000004
【図３Ａ】
2015209684.tif 000005
【図３Ｂ】
2015209684.tif 000006
【図３Ｃ】
2015209684.tif 000007
【図４】
2015209684.tif 000008
【図５】
2015209684.tif 000009
【手続補正書】
【提出日】平成27年4月17日(2015.4.17)
【手続補正１】
【補正対象書類名】特許請求の範囲
【補正対象項目名】全文
【補正方法】変更
【補正の内容】
【特許請求の範囲】
【請求項１】
６つの平坦面及び２つの開口部を有し、断面が六角形の筒状部材を備え、
前記六角形は、２つの頂点を通る直線を対称軸とした線対称の形状であり、かつ、３組の対向する２辺は、それぞれ互いに平行である凸六角形であり、
前記筒状部材は、折れ曲がったシート状部材からなり、
前記筒状部材の１つ又は両方の前記開口部には、前記六角形と同じ形状の部分を有する蓋部材が設けられており、
前記筒状部材の内部には、平坦部を有する床部材が設けられており、前記対称軸は、前記平坦部の垂線であり、
前記六角形は、正六角形であり、
前記筒状部材の内側には、前記シート状部材の折り曲げられた２つの端部が重ね合わせられることによって形成された折り返し部が設けられており、前記折り返し部は、固定部材によって固定されている組立カプセルルーム。
【請求項２】
６つの平坦面及び２つの開口部を有する第１筒状部材を備えた第１組立カプセルルームと、
６つの平坦面及び２つの開口部を有する第２筒状部材を備えた第２組立カプセルルームと、
６つの平坦面及び２つの開口部を有する第３筒状部材を備えた第３組立カプセルルームと、を備え、
前記第１筒状部材の断面、前記第２筒状部材の断面及び第３筒状部材の断面は、２つの頂点を通る直線を対称軸とした線対称の形状であり、かつ、３組の対向する２辺がそれぞれ互いに平行である凸六角形であり、
前記第１筒状部材、前記第２筒状部材及び前記第３筒状部材は、それぞれ折れ曲がったシート状部材からなり、前記第１筒状部材、前記第２筒状部材及び第３筒状部材の内側には、それぞれ前記シート状部材の折り曲げられた２つの端部が重ね合わせられることによって形成された折り返し部が設けられており、前記折り返し部は、固定部材によって固定されており、
前記第１筒状部材、前記第２筒状部材及び前記第３筒状部材は、互いに形状及び大きさが同じであり、
前記第１筒状部材、前記第２筒状部材及び前記第３筒状部材が互いに１つの平坦面同士で接することにより、前記第１組立カプセルルーム、前記第２組立カプセルルーム及び前記第３組立カプセルルームは、ハニカム状に配置されている組立カプセルルーム集合体。